(57)【特許請求の範囲】
【請求項１】
ファンネル内に配置された内部磁気シールドと該内部磁気シールドに取り付けられた少なくとも一つの接点バネとを有し、前記内部磁気シールドは該内部磁気シールドの後部の一面であるランド部を有し、該ランド部は前記ファンネルとは反対側を向いた外側エッジと前記ファンネルの方を向いた内側エッジとを有し、前記接点バネは前記ランド部において前記内部磁気シールドに取り付けられた留め金部と接点リーフ部とを有する、陰極線管であって、
前記留め金部は、平坦な本体部分を有し、
前記本体部分は、前記ランド部上に延在し、
前記本体部分は、一端に、繰り返し曲げることができるフックを有し、他端に、外れ止めを有し、
前記フックは、前記ランド部の前記外側エッジと係合し、
前記外れ止めは、留め具を有し、
前記留め具は、前記外れ止めから延び、
前記留め具は、前記外れ止めのうち該留め具から延びる部分と鋭角を成し、
前記留め具は、前記接点バネが前記フックまわりに回転したときに、前記ランド部の前記内側エッジと係合するように配置され、
前記接点リーフ部は、前記外れ止めに接続され、該外れ止めから延びる、ことを特徴とする陰極線管。
【請求項２】
請求項１記載の陰極線管であって、
前記外れ止めは、２つの対向する端部を有し、
前記２つの対向する端部の一方は、前記本体部分の他端に取り付けられ、他方は、前記接点リーフ部に取り付けられ、
前記留め具は、前記２つの対向する端部の間に配置される、ことを特徴とする陰極線管。
【請求項３】
請求項１記載の陰極線管であって、
前記接点リーフ部は、前記外れ止めに接続され、該外れ止めから延び、
前記接点リーフ部の末端は、前記ファンネルの前記内部磁気シールドの方を向いた内表面と接触する、ことを特徴とする陰極線管。
【発明の詳細な説明】
【０００１】
【発明の属する技術分野】
本発明は、少なくとも一つの接点バネが取り付けられた内部磁気シールドを備えた陰極線管に関する。
【０００２】
【従来の技術】
一般的に、電子ビームの軌道に対する磁界の影響を低減させるために、カラー陰極線管（ＣＲＴ）のファンネル内には、内部磁気シールドが設けられる。この内部磁気シールドは、通常、冷延鋼板から成り、シャドーマスクフレームに固定される。陰極線管ファンネルの内表面上の導電性被膜との電気的接点とするために、内部磁気シールド又はシャドーマスクフレームに可撓性の接点バネが取り付けられる場合もある。初期の接点バネ取付方法は溶接であった。しかしながら、溶接を用いる方法は、陰極線管内に望ましくない遊離した粒子を生じることが多かった。
【０００３】
これまで、シャドーマスクフレーム又は内部磁気シールドへの接点バネの溶接に伴う問題を克服するための改善案がいくつか提案されてきた。例えば、１９８２年１月１２日にＰｅｎｉｒｄ他に発行された米国特許第４，３１０，７７９号、及び、１９８２年２月２１日にＫｕｒｙｌａ他に発行された米国特許第４，４３３，２６７号は、磁気シールドの後端に形成された溝にパチっと嵌まる巻き付き型クリップを有する接点バネを開示する。１９９２年６月３０日にＪｉに発行された米国特許第５，１２６，６２４号は、シャドーマスクフレームの穴にちょうど嵌まる三角型頭部を有する接点バネを開示する。１９８７年６月２日にＭｕｅｎｋｅｌ他に発行された米国特許第４，６７０，６８６号は、対向する二つのスロットを通って内部磁気シールドに挿入されるリーフ状タブ及び補強構造を有する接点バネを開示する。これら接点バネの各々は、一つ以上の不利な点を有する。シンプルなものほど、緩かったり、ズレたりする可能性がある。複雑なものほど、製造コストが掛かる。従って、シンプルなデザインで、挿入が容易で、ズレない、接点バネが必要とされている。
【０００４】
【発明が解決しようとする課題】
Ａ．Ｗ．Ｂｕｃｈｅｒによって１９９８年９月８日に出願された米国特許出願第０９／１４９，３２０号には、改良された接点バネが開示されている。Ｂｕｃｈｅｒによる出願は、内部磁気シールドのランド部にパチっと嵌めることができるフック及び外れ止めを備えた留め金を有する接点バネを開示する。このＢｕｃｈｅｒの接点バネは、状態によって、内部シールドから外れる可能性があることが判っている。本発明は、Ｂｕｃｈｅｒの出願で開示されたタイプの接点バネを、上記のように外れることがないように改良した、接点バネを提供する。
【０００５】
【課題を解決するための手段】
本発明によれば、陰極線管は、内部磁気シールドとこの内部磁気シールドに取り付けられた少なくとも一つの接点バネとを有する。上記内部磁気シールドは、外側エッジ及び内側エッジを備えたランド部を有する。上記接点バネは、２つの部分を有する。一方は、今回改良された、上記ランド部において上記内部磁気シールドに取り付けられた留め金部であり、他方は、接点リーフ部である。上記改良型留め金部は、一端に繰り返し曲げることができるフックを備えた平坦な本体を有し、他端に外れ止め及び留め具を有する。該フックは、上記ランド部の外側エッジと係合し、上記外れ止めは上記ランド部の内側エッジと係合する。上記留め具は、この留め具の他の部分と鋭角な角を成す、曲げられた端部を有する。この曲げられた端部は、上記接点バネが上記フックまわりに回転した場合、上記ランド部の内側エッジと係合するように配置される。上記接点リーフ部は、上記外れ止めに接続され、該外れ止めから延びる。
【０００６】
【発明の実施の形態】
図１及び図２は、フェースプレートパネル１２を備えた陰極線管１０を示す。フェースプレートパネル１２は、フェースプレートパネル１２のエッジ１６に沿って、陰極線管１０のファンネル１４に封をする。陰極線管１０は、陰極線管１０内部に、磁気シールド１８を有する。磁気シールド１８は、ファンネル１４の内表面近くに配置される。磁気シールド１８は、シャドーマスクフレーム２２に固定される。シャドーマスクフレーム２２は、フェースプレート１２から内側へ延びる取付スタッド２４によって支持される。ファンネル１４の内表面２０上には、導電性の被膜２６が施されている。この導電性被膜２６は、エッジ１６から所定の距離、内表面２０に沿って延在している。導電性被膜２６は、陰極線管１０の正の陽極として機能する黒鉛被膜を含む。一対の接点バネ２８は、内部磁気シールド１８の後部３０に取り付けられ、内部磁気シールド１８と導電性被膜２６の間を電気的に接続する。
【０００７】
図３及び図４は、内部磁気シールド１８の後部３０のうち、接点バネが取り付けられる接点バネ位置部分を示している。この後部３０の一部分は、ステップライザ（ｓｔｅｐ  ｒｉｓｅｒ）３２によって内部磁気シールド１８の輪郭の延長から隆起したランド部３１を有する。接点バネ位置において、ステップライザ３２は、細長い開口部３４を有する。ステップライザ３２のほんの一部分は、ランド部３１の斜縁部３７を形成する。斜縁部３７の末端は、ランド部３１の外側エッジ３６と反対側に、ランド部３１の内側エッジ３２を形成する。ランド部３１の外側エッジ３６は、接点バネ位置において、切欠部３８を有する。ランド部３１は、更に、ランド部３１の内側エッジ及び外側エッジに平行な補強玉４０を有する。
【０００８】
図５及び図６は、接点バネ２８を示している。接点バネ２８は、２つの部分を備える。一方は留め金部４２、他方は接点リーフ部４４である。留め金４２は、接点バネ２８を内部磁気シールド１８に取り付ける。接点リーフ４４は、陰極線管１０の内表面上の内側導電性被膜２６と接触するように、留め金部４２から片持ちされる。留め金４２は、平坦な本体部分４１を有する。本体部分４１は、本体部分４１と鋭角を成し、繰り返し曲げることができるフック４６と、接点バネ２８中央に近い留め金４２の一端に位置する外れ止め４８及び留め具４３とに分かれる。接点リーフ４４は、外れ止め４８から延び、二つの別々のアーム５０及び５２を有する。これらアームの各々は、末端に、円形の接触面５４及び５６をそれぞれ有する。
【０００９】
図７及び図８は、内部磁気シールド１８に接続された接点バネを示している。フック４６は、切欠部３８において、内部磁気シールド１８のランド部３１の外側エッジと係合し、外れ止め４８は、開口部３４において、内部磁気シールド１８のランド部３１の内側エッジ３５と係合する。留め具４３は、過剰な力が接点リーフ４４に加えられて接点バネ２８がフック４６まわりに回転したときに、接点バネ２８がランド部３１から外れることを防止する安全装置である。このような過剰な力は、磁気シールド１８を取り扱っている間に誤って加えられる可能性がある。この安全機能は、接点バネ２８の接点リーフ４４が磁気シールド１８から離れる方向へ回転したときに、留め具４３がランド部３１の斜縁部３７に引っ掛かるか又は引っ掛けられることによって、実現される。接点バネ２８を取り付ける際には、まず、フック４６をランド部３１に寄せて配置し、接点バネ２８を回転させる際の軸として機能させ、外れ止め４８を開口部３４に入れ、磁気シールド１８のランド部３１の内側エッジ３５と係合させる。このとき、留め具４３は、ランド部３１のまわりに回りこんでおり、接点バネ２８が回転したときにランド部３１に引っ掛かるように配置される。
【００１０】
接点バネ２８の留め金部４２と内部磁気シールド１８の後部３０との相互作用により、接点リーフ部４４がファンネル１４の内壁の導電性被膜２６と接触しているとき、自己引き締め機能が提供される。接点バネ２８の双方の接点リーフ部４４がファンネル１４の内側と接触しているため、それらは磁気シールド１８へ向けて撓み、それぞれの外れ止め４８を磁気シールド１８のランド部３１の内側エッジ３５及び外側エッジ３６まわりへそれぞれ更に近づける。
【００１１】
【発明の効果】
本発明に係る接点バネは、ほとんどの従来の接点バネよりもデザインがシンプルで、取り付けも容易である。加えて、本発明に係る接点バネは、多くの従来の接点バネのように取り付けているときに部品同士を擦らない。
【図面の簡単な説明】
【図１】  陰極線管内の内部磁気シールドに取り付けられた一対の接点バネを示す、陰極線管前部の断面図である。
【図２】  図１の線２−２に沿って切った断面図である。
【図３】  接点バネの位置における、図１の内部磁気シールドの部分平面図である。
【図４】  図３の線３−３に沿って切った断面図である。
【図５】  図１の接点バネの底面図である。
【図６】  図５の線６−６に沿って切った断面図である。
【図７】  接点バネが取り付けられた内部磁気シールドの部分平面図である。
【図８】  図７の線８−８に沿って切った断面図である。
【符号の説明】
１０  陰極線管
１２  フェースプレートパネル
１４  ファンネル
１６  エッジ
１８  内部磁気シールド
２０  内表面
２２  シャドーマスクフレーム
２４  取付スタッド
２６  導電性被膜
２８  接点バネ
３０  後部
３１  ランド部
３２  ステップライザ
３４  細長開口部
３５  内側エッジ
３６  外側エッジ
３７  縁部
３８  切欠部
４０  補強ビード
４１  平坦本体部分
４２  留め金
４３  留め具
４４  接点リーフ
４６  フック
４８  外れ止め
５０、５２  アーム
５４、５６  接触面
【図１】
0003898874.tif 000002
【図２】
0003898874.tif 000003
【図３】
0003898874.tif 000004
【図４】
0003898874.tif 000005
【図５】
0003898874.tif 000006
【図６】
0003898874.tif 000007
【図７】
0003898874.tif 000008
【図８】
0003898874.tif 000009